(57)【要約】      （修正有）【課題】紙製主体のコップ状容器の製造設備が利用でき、アセプティック殺菌やレトルト殺菌も可能な、安価で長期保存性に優れたコップ状容器を提供する。【解決手段】コップ状容器1は、胴体用ブランク20Aの両端縁部のオーバーラップ接合により筒状に成形され、下端開口縁部に内方への折り返し部22と上端開口縁部に外方へ折り曲げられたフランジ部23を有する胴体2と、底体用ブランク30Aの外周部に垂下部32を形成した断面略逆Ｕ形の底体3よりなる。胴体2の下端部2aの内面に垂下部32の外面が接合され、折り返し部22が垂下部32の内面との接合により胴体2と底体3が一体化される。胴体用ブランク20A及び底体用ブランク30Aが、金属箔層201,301それぞれの各両面に積層された熱融着性樹脂層202，302を有し、かつ紙層を有しない積層体20,30から形成されている。底体3は、底体用ブランク30Aを絞り成形してなる。【選択図】図２
2020011774.tif 000002
【特許請求の範囲】
【請求項１】
胴体用ブランクの両端縁部どうしをオーバーラップさせて接合することにより筒状に成形されているとともに上端開口縁部に外方に折り曲げられたフランジ部を有している胴体と、底体用ブランクをその外周部に垂下部が形成されるように成形してなる断面略逆Ｕ形の底体とよりなり、胴体の下端部の内面に底体の垂下部の外面が接合されることにより胴体および底体が一体化されているコップ状容器において、
胴体用ブランクが、金属箔層と金属箔層の両面に積層された熱融着性樹脂層とを有するが紙層を有しない積層体から形成されたものであって、胴体用ブランクのオーバーラップさせられた両端縁部がこれらの互いに重なり合う面を構成している熱融着性樹脂層どうしを熱融着することにより接合され、熱融着された熱融着性樹脂層を介して両端縁部の金属箔層が積層されており、
底体用ブランクが、金属箔層と金属箔層の両面のうち底体の上側となる面に積層された熱融着性樹脂層とを有するが紙層を有しない積層体から形成されたものであって、胴体の下端部の内面および底体の垂下部の外面がこれらの面を構成している熱融着性樹脂層どうしを熱融着することにより接合され、熱融着された熱融着性樹脂層を介して胴体の下端部の金属箔層および底体の垂下部の金属箔層が積層されている、コップ状容器。
【請求項２】
底体が、底体用ブランクを絞り成形してなるものである、請求項１記載のコップ状容器。
【請求項３】
フランジ部が下方に折り返されて偏平状に成形されている、請求項１または２記載のコップ状容器。
【請求項４】
フランジ部が下方にカールさせられて横断面略円弧状に成形されている、請求項１または２記載のコップ状容器。
【請求項５】
胴体用ブランクの両端縁部のうち胴体の内側となる端縁部が、胴体の外側となる胴体用ブランクの面と重なるように折り返されて同面に熱融着されている、請求項１〜４のいずれか１つに記載のコップ状容器。
【請求項６】
胴体用ブランクを形成している積層体の金属箔層の厚さが４０〜２００μｍであり、底体用ブランクを形成している積層体の金属箔層の厚さが４０〜２００μｍである、請求項１〜５のいずれか１つに記載のコップ状容器。
【請求項７】
胴体用ブランクを形成している積層体において金属箔層の両面に積層されている熱融着性樹脂層の厚さがそれぞれ５〜８０μｍであり、底体用ブランクを形成している積層体において金属箔層の両面のうち底体の上側となる面に積層されている熱融着性樹脂層の厚さが５〜８０μｍである、請求項１〜６のいずれか１つに記載のコップ状容器。
【請求項８】
胴体のオーバーラップ部において、胴体用ブランクの両端縁部の互いに熱融着された熱融着性樹脂層の合計厚さが８〜１５０μｍである、請求項１〜７のいずれか１つに記載のコップ状容器。
【請求項９】
胴体のオーバーラップ部において、胴体用ブランクの両端縁部の金属箔層どうしの厚さ方向から見た重なり幅が２〜１０ｍｍである、請求項１〜８のいずれか１つに記載のコップ状容器。
【請求項１０】
胴体が、その下端開口縁部から底体の垂下部を包み込むように内方に折り返された折り返し部をさらに有しており、
底体用ブランクを形成している積層体が、金属箔層の両面のうち底体の下側となる面に積層された熱融着性樹脂層をさらに有しており、
胴体の折り返し部および底体の垂下部がこれらの互いに重なり合う面を構成している熱融着性樹脂層どうしを熱融着することにより接合され、熱融着された熱融着性樹脂層の内側に折り返し部の金属箔層が積層されている、請求項１〜９のいずれか１つに記載のコップ状容器。
【請求項１１】
底体用ブランクを形成している積層体において金属箔層の両面のうち底体の下側となる面に積層されている熱融着性樹脂層の厚さが５〜８０μｍである、請求項１０記載のコップ状容器。
【請求項１２】
胴体用ブランクの両端縁部どうしをオーバーラップさせて接合することにより筒状に成形されているとともに上端開口縁部に外方に折り曲げられたフランジ部を有している胴体と、底体用ブランクをその外周部に垂下部が形成されるように成形してなる断面略逆Ｕ形の底体とよりなり、胴体の下端部の内面に底体の垂下部の外面が接合されることにより胴体および底体が一体化されているコップ状容器において、
胴体用ブランクが、金属箔層と金属箔層の両面に積層された熱融着性樹脂層とを有するが紙層を有しない積層体を所定長さの２倍の長さを有する寸法にカットするとともに長さ中央で半分に折って重ね合わせ、重ね合わせられた面を構成している熱融着性樹脂層どうしを熱融着してなるものであって、胴体用ブランクの両端縁部が、折り返し側の端縁部が胴体の内側となるようにオーバーラップさせられて、これらの互いに重なり合う面を構成している熱融着性樹脂層どうしを熱融着することにより接合され、熱融着された熱融着性樹脂層を介して両端縁部の金属箔層が積層されており、
底体用ブランクが、金属箔層と金属箔層の両面のうち底体の上側となる面に積層された熱融着性樹脂層とを有するが紙層を有しない積層体から形成されたものであって、胴体の下端部の内面および底体の垂下部の外面がこれらの面を構成している熱融着性樹脂層どうしを熱融着することにより接合され、熱融着された熱融着性樹脂層を介して胴体の下端部の金属箔層および底体の垂下部の金属箔層が積層されている、コップ状容器。
【請求項１３】
底体が、底体用ブランクを絞り成形してなるものである、請求項１２記載のコップ状容器。
【請求項１４】
フランジ部が下方に折り返されて偏平状に成形されている、請求項１２または１３記載のコップ状容器。
【請求項１５】
フランジ部が下方にカールさせられて横断面略円弧状に成形されている、請求項１２または１３記載のコップ状容器。
【請求項１６】
胴体が、その下端開口縁部から底体の垂下部を包み込むように内方に折り返された折り返し部をさらに有しており、
底体用ブランクを形成している積層体が、金属箔層の両面のうち底体の下側となる面に積層された熱融着性樹脂層をさらに有しており、
胴体の折り返し部および底体の垂下部がこれらの互いに重なり合う面を構成している熱融着性樹脂層どうしを熱融着することにより接合され、熱融着された熱融着性樹脂層の内側に折り返し部の金属箔層が積層されている、請求項１２〜１５のいずれか１つに記載のコップ状容器。
【請求項１７】
胴体用ブランクの両端縁部どうしを合掌状に重ねて接合することにより筒状に成形されているとともに上端開口縁部に外方に折り曲げられたフランジ部を有している胴体と、底体用ブランクをその外周部に垂下部が形成されるように成形してなる断面略逆Ｕ形の底体とよりなり、胴体の下端部の内面に底体の垂下部の外面が接合されることにより胴体および底体が一体化されているコップ状容器において、
胴体用ブランクが、金属箔層と金属箔層の両面のうち胴体の内側となる面に積層された熱融着性樹脂層とを有するが紙層を有しない積層体から形成されたものであって、胴体用ブランクの合掌状に重ねられた両端縁部がこれらの熱融着性樹脂層どうしを熱融着することにより接合され、熱融着された熱融着性樹脂層を介して両端縁部の金属箔層が積層されており、
底体用ブランクが、金属箔層と金属箔層の両面のうち底体の上側となる面に積層された熱融着性樹脂層とを有するが紙層を有しない積層体から形成されたものであって、胴体の下端部の内面および底体の垂下部の外面がこれらの熱融着性樹脂層どうしを熱融着することにより接合され、熱融着された熱融着性樹脂層を介して胴体の下端部の金属箔層および底体の垂下部の金属箔層が積層されている、コップ状容器。
【請求項１８】
底体が、底体用ブランクを絞り成形してなるものである、請求項１７記載のコップ状容器。
【請求項１９】
胴体用ブランクを形成している積層体が、金属箔層の両面のうち胴体の外側となる面に積層された熱融着性樹脂層をさらに有しており、
胴体の合掌部が、胴体の外面と重なるように一方の側に折り曲げられて同外面に熱融着されている、請求項１７または１８記載のコップ状容器。
【請求項２０】
フランジ部が下方に折り返されて偏平状に成形されている、請求項１７〜１９のいずれか１つに記載のコップ状容器。
【請求項２１】
フランジ部が下方にカールさせられて横断面略円弧状に成形されている、請求項１７〜１９のいずれか１つに記載のコップ状容器。
【請求項２２】
胴体が、その下端開口縁部から底体の垂下部を包み込むように内方に折り返された折り返し部をさらに有しており、
底体用ブランクを形成している積層体が、金属箔層の両面のうち底体の下側となる面に積層された熱融着性樹脂層をさらに有しており、
胴体の折り返し部および底体の垂下部がこれらの互いに重なり合う面を構成している熱融着性樹脂層どうしを熱融着することにより接合され、熱融着された熱融着性樹脂層の内側に折り返し部の金属箔層が積層されている、請求項１７〜２１のいずれか１つに記載のコップ状容器。
【請求項２３】
胴体用ブランクの両端縁部どうしをオーバーラップさせて接合するかまたは合掌状に重ねて接合することにより筒状に成形されているとともに上端開口縁部に外方に折り曲げられたフランジ部を有している胴体と、底体用ブランクをその外周部に垂下部が形成されるように成形してなる断面略逆Ｕ形の底体とよりなり、胴体の下端部の内面に底体の垂下部の外面が接合されることにより胴体および底体が一体化されているコップ状容器において、胴体用ブランクおよび底体用ブランクそれぞれの材料として用いられる積層体であって、
金属箔層と、金属箔層の両面のうち少なくとも一方の面に積層された熱融着性樹脂層とを有しているが、紙層を有していない、コップ状容器用積層体。
【発明の詳細な説明】
【技術分野】
【０００１】
この発明は、例えばアイスクリームやヨーグルトのような食品や飲料等を内容物とするコップ状容器および同容器の材料として用いられる積層体に関する。
【背景技術】
【０００２】
例えばアイスクリームやヨーグルト等の半固形状乳製品を充填包装するための容器として、紙製のコップ状容器、すなわち紙コップが一般に用いられている。
紙コップは、通常、それぞれ所定形状にカットされた紙製ブランクよりなる胴体と底体とを接合一体化することにより形成されている。より詳細には、胴体は、略扇形の胴体用ブランクの両端縁部どうしをオーバーラップさせて接合することにより筒状に成形するとともに、下端開口縁部に内方に折り返された折り返し部を形成し、上端開口縁部に外方にカールされたフランジ部を形成してなる。底体は、略円形の底体用ブランクをその外周部に垂下部が形成されるようにスカート成形してなる断面略逆Ｕ形のものである。そして、底体の垂下部が胴体の折り返し部に包み込まれて接合されることにより、胴体および底体が一体化されている。
胴体用および底体用の各ブランクは、例えば、一般原紙、耐酸紙、コート紙等よりなる紙層と、紙層の片面または両面に積層されたポリエチレン樹脂（ＰＥ）層とを有する積層体よりなる（例えば下記の特許文献１参照）。
【０００３】
また、上記各ブランクの材料として、紙層およびポリエチレン樹脂（ＰＥ）層に加えてアルミニウム箔等よりなるバリア層を積層してなる積層体を使用した紙コップも知られている（例えば下記の特許文献２参照）。
【０００４】
その他、アイスクリーム、ヨーグルト等の容器として、ポリプロピレン樹脂（ＰＰ）等のプラスチック成形体よりなるものも知られている（例えば下記の特許文献３参照）。
【先行技術文献】
【特許文献】
【０００５】
【特許文献１】特開昭５８−３０９５５号公報
【特許文献２】特開２００７−２１０６３９号公報
【特許文献３】特開２００７−１７６５０５号公報
【発明の概要】
【発明が解決しようとする課題】
【０００６】
しかしながら、紙コップは、生産性に優れ、安価に製造することが可能である反面、バリア性が低く、内容物の長期保存には適していなかった。
アルミニウム箔等のバリア層が付加された紙コップの場合、内容物の長期保存性は向上するが、紙層の端面から水が侵入しやすく、レトルト殺菌を行うことができなかった。
また、プラスチック製の容器の場合、製造設備のコストが高くつく上、内容物の長期保存には適していなかった。
【０００７】
この発明は、上記の課題に鑑みてなされたものであって、紙を主体とするコップ状容器の製造設備を利用して安価に製造することができ、また、内容物の長期保存性に優れ、アセプティック殺菌やレトルト殺菌も行うことができるコップ状容器を提供することを目的とする。
【課題を解決するための手段】
【０００８】
この発明は、上記の目的を達成するために、以下の態様からなる。
【０００９】
１）胴体用ブランクの両端縁部どうしをオーバーラップさせて接合することにより筒状に成形されているとともに上端開口縁部に外方に折り曲げられたフランジ部を有している胴体と、底体用ブランクをその外周部に垂下部が形成されるように成形してなる断面略逆Ｕ形の底体とよりなり、胴体の下端部の内面に底体の垂下部の外面が接合されることにより胴体および底体が一体化されているコップ状容器において、
胴体用ブランクが、金属箔層と金属箔層の両面に積層された熱融着性樹脂層とを有するが紙層を有しない積層体から形成されたものであって、胴体用ブランクのオーバーラップさせられた両端縁部がこれらの互いに重なり合う面を構成している熱融着性樹脂層どうしを熱融着することにより接合され、熱融着された熱融着性樹脂層を介して両端縁部の金属箔層が積層されており、
底体用ブランクが、金属箔層と金属箔層の両面のうち底体の上側となる面に積層された熱融着性樹脂層とを有するが紙層を有しない積層体から形成されたものであって、胴体の下端部の内面および底体の垂下部の外面がこれらの面を構成している熱融着性樹脂層どうしを熱融着することにより接合され、熱融着された熱融着性樹脂層を介して胴体の下端部の金属箔層および底体の垂下部の金属箔層が積層されている、コップ状容器。
【００１０】
２）底体が、底体用ブランクを絞り成形してなるものである、上記１）のコップ状容器。
【００１１】
３）フランジが下方に折り返されて偏平状に成形されている、上記１）または２）のコップ状容器。
【００１２】
４）フランジ部が下方にカールさせられて横断面略円弧状に成形されている、上記１）または２）のコップ状容器。
【００１３】
５）胴体用ブランクの両端縁部のうち胴体の内側となる端縁部が、胴体の外側となる胴体用ブランクの面と重なるように折り返されて同面に熱融着されている、上記１）〜４）のいずれか１つのコップ状容器。
【００１４】
６）胴体用ブランクを形成している積層体の金属箔層の厚さが４０〜２００μｍであり、底体用ブランクを形成している積層体の金属箔層の厚さが４０〜２００μｍである、上記１）〜５）のいずれか１つのコップ状容器。
【００１５】
７）胴体用ブランクを形成している積層体において金属箔層の両面に積層されている熱融着性樹脂層の厚さがそれぞれ５〜８０μｍであり、底体用ブランクを形成している積層体において金属箔層の両面のうち底体の上側となる面に積層されている熱融着性樹脂層の厚さが５〜８０μｍである、上記１）〜６）のいずれか１つのコップ状容器。
【００１６】
８）胴体のオーバーラップ部において、胴体用ブランクの両端縁部の互いに熱融着された熱融着性樹脂層の合計厚さが８〜１５０μｍである、上記１）〜７）のいずれか１つのコップ状容器。
【００１７】
９）胴体のオーバーラップ部において、胴体用ブランクの両端縁部の金属箔層どうしの厚さ方向から見た重なり幅が２〜１０ｍｍである、上記１）〜８）のいずれか１つのコップ状容器。
【００１８】
１０）胴体が、その下端開口縁部から底体の垂下部を包み込むように内方に折り返された折り返し部をさらに有しており、
底体用ブランクを形成している積層体が、金属箔層の両面のうち底体の下側となる面に積層された熱融着性樹脂層をさらに有しており、
胴体の折り返し部および底体の垂下部がこれらの互いに重なり合う面を構成している熱融着性樹脂層どうしを熱融着することにより接合され、熱融着された熱融着性樹脂層の内側に折り返し部の金属箔層が積層されている、上記１）〜９）のいずれか１つのコップ状容器。
【００１９】
１１）底体用ブランクを形成している積層体において金属箔層の両面のうち底体の下側となる面に積層されている熱融着性樹脂層の厚さが５〜８０μｍである、上記１０）のコップ状容器。
【００２０】
１２）胴体用ブランクの両端縁部どうしをオーバーラップさせて接合することにより筒状に成形されているとともに上端開口縁部に外方に折り曲げられたフランジ部を有している胴体と、底体用ブランクをその外周部に垂下部が形成されるように成形してなる断面略逆Ｕ形の底体とよりなり、胴体の下端部の内面に底体の垂下部の外面が接合されることにより胴体および底体が一体化されているコップ状容器において、
胴体用ブランクが、金属箔層と金属箔層の両面に積層された熱融着性樹脂層とを有するが紙層を有しない積層体を所定長さの２倍の長さを有する寸法にカットするとともに長さ中央で半分に折って重ね合わせ、重ね合わせられた面を構成している熱融着性樹脂層どうしを熱融着してなるものであって、胴体用ブランクの両端縁部が、折り返し側の端縁部が胴体の内側となるようにオーバーラップさせられて、これらの互いに重なり合う面を構成している熱融着性樹脂層どうしを熱融着することにより接合され、熱融着された熱融着性樹脂層を介して両端縁部の金属箔層が積層されており、
底体用ブランクが、金属箔層と金属箔層の両面のうち底体の上側となる面に積層された熱融着性樹脂層とを有するが紙層を有しない積層体から形成されたものであって、胴体の下端部の内面および底体の垂下部の外面がこれらの面を構成している熱融着性樹脂層どうしを熱融着することにより接合され、熱融着された熱融着性樹脂層を介して胴体の下端部の金属箔層および底体の垂下部の金属箔層が積層されている、コップ状容器。
【００２１】
１３）底体が、底体用ブランクを絞り成形してなるものである、上記１２）のコップ状容器。
【００２２】
１４）フランジ部が下方に折り返されて偏平状に成形されている、上記１２）または１３）のコップ状容器。
【００２３】
１５）フランジ部が下方にカールさせられて横断面略円弧状に成形されている、上記１２）または１３）のコップ状容器。
【００２４】
１６）胴体が、その下端開口縁部から底体の垂下部を包み込むように内方に折り返された折り返し部をさらに有しており、
底体用ブランクを形成している積層体が、金属箔層の両面のうち底体の下側となる面に積層された熱融着性樹脂層をさらに有しており、
胴体の折り返し部および底体の垂下部がこれらの互いに重なり合う面を構成している熱融着性樹脂層どうしを熱融着することにより接合され、熱融着された熱融着性樹脂層の内側に折り返し部の金属箔層が積層されている、上記１２）〜１５）のいずれか１つのコップ状容器。
【００２５】
１７）胴体用ブランクの両端縁部どうしを合掌状に重ねて接合することにより筒状に成形されているとともに上端開口縁部に外方に折り曲げられたフランジ部を有している胴体と、底体用ブランクをその外周部に垂下部が形成されるように成形してなる断面略逆Ｕ形の底体とよりなり、胴体の下端部の内面に底体の垂下部の外面が接合されることにより胴体および底体が一体化されているコップ状容器において、
胴体用ブランクが、金属箔層と金属箔層の両面のうち胴体の内側となる面に積層された熱融着性樹脂層とを有するが紙層を有しない積層体から形成されたものであって、胴体用ブランクの合掌状に重ねられた両端縁部がこれらの熱融着性樹脂層どうしを熱融着することにより接合され、熱融着された熱融着性樹脂層を介して両端縁部の金属箔層が積層されており、
底体用ブランクが、金属箔層と金属箔層の両面のうち底体の上側となる面に積層された熱融着性樹脂層とを有するが紙層を有しない積層体から形成されたものであって、胴体の下端部の内面および底体の垂下部の外面がこれらの熱融着性樹脂層どうしを熱融着することにより接合され、熱融着された熱融着性樹脂層を介して胴体の下端部の金属箔層および底体の垂下部の金属箔層が積層されている、コップ状容器。
【００２６】
１８）底体が、底体用ブランクを絞り成形してなるものである、上記１７）のコップ状容器。
【００２７】
１９）胴体用ブランクを形成している積層体が、金属箔層の両面のうち胴体の外側となる面に積層された熱融着性樹脂層をさらに有しており、
胴体の合掌部が、胴体の外面と重なるように一方の側に折り曲げられて同外面に熱融着されている、上記１７）または１８）のコップ状容器。
【００２８】
２０）フランジ部が下方に折り返されて偏平状に成形されている、上記１７）〜１９）のいずれか１つのコップ状容器。
【００２９】
２１）フランジ部が下方にカールさせられて横断面略円弧状に成形されている、上記１７）〜１９）のいずれか１つのコップ状容器。
【００３０】
２２）胴体が、その下端開口縁部から底体の垂下部を包み込むように内方に折り返された折り返し部をさらに有しており、
底体用ブランクを形成している積層体が、金属箔層の両面のうち底体の下側となる面に積層された熱融着性樹脂層をさらに有しており、
胴体の折り返し部および底体の垂下部がこれらの互いに重なり合う面を構成している熱融着性樹脂層どうしを熱融着することにより接合され、熱融着された熱融着性樹脂層の内側に折り返し部の金属箔層が積層されている、上記１７）〜２１）のいずれか１つのコップ状容器。
【００３１】
２３）胴体用ブランクの両端縁部どうしをオーバーラップさせて接合するかまたは合掌状に重ねて接合することにより筒状に成形されているとともに上端開口縁部に外方に折り曲げられたフランジ部を有している胴体と、底体用ブランクをその外周部に垂下部が形成されるように成形してなる断面略逆Ｕ形の底体とよりなり、胴体の下端部の内面に底体の垂下部の外面が接合されることにより胴体および底体が一体化されているコップ状容器において、胴体用ブランクおよび底体用ブランクそれぞれの材料として用いられる積層体であって、
金属箔層と、金属箔層の両面のうち少なくとも一方の面に積層された熱融着性樹脂層とを有しているが、紙層を有していない、コップ状容器用積層体。
【発明の効果】
【００３２】
上記１）のコップ状容器によれば、胴体用ブランクが金属箔層およびその両面に積層された熱融着性樹脂層を有する積層体から形成され、底体用ブランクが金属箔層と金属箔層の両面のうち底体の上側となる面に積層された熱融着性樹脂層とを有する積層体から形成されているので、紙を主体とするコップ状容器の製造設備を利用して安価に製造することができる。
また、上記１）のコップ状容器によれば、各ブランクの材料とされる積層体が金属箔層を有しているので、内容物の長期保存性に優れている。
さらに、上記１）のコップ状容器によれば、各ブランクの材料とされる積層体が紙層を有しないものであるので、レトルト殺菌を行うことができる。
加えて、上記１）のコップ状容器によれば、胴体のオーバーラップ部および胴体の下端部と底体の垂下部との接合部において、優れたシール性およびバリア性が得られる。
【００３３】
上記２）のコップ状容器によれば、以下のような効果が奏される。
すなわち、従来の紙コップの場合、底体用ブランクを横断面略逆Ｕ形に成形する際にシワが発生しやすく、これらのシワに起因して、底体の垂下部と胴体の下端部との接合不良が生じ、また、バリア性の低下を招くおそれがあった。また、紙コップを使用してアセプティック（無菌）充填を行う場合、紙コップの底部における胴体と底体との境界部分に殺菌液が残りやすかった。これは、紙を主体とする底体用ブランクを成形する際に、底部と垂下部との間のコーナー部分において紙が割れることにより、コーナー部分の角が出にくいことが原因であると考えられる。
これに対して、上記２）のコップ状容器によれば、底体が、金属箔層および熱融着性樹脂層を有するが紙層を有しない積層体から形成された底体用ブランクを絞り成形してなるものであるので、底体にシワが生じず、したがって、底体の垂下部と胴体の下端部との接合不良が生じたり、バリア性の低下を招いたりするのを確実に防止することができる。また、上記２）のコップ状容器によれば、底体における底部と垂下部との間のコーナー部分の角が出やすく、したがって、アセプティック（無菌）充填を行う場合でも、底部における胴体と底体との境界部分に殺菌液が残らない。
【００３４】
上記３）または４）のコップ状容器によれば、胴体のフランジ部の先端側に胴体用ブランクの端面が露出しないので、例えば内容物が飲料である場合にフランジ部を飲み口として支障なく機能させることができる。
【００３５】
上記５）のコップ状容器によれば、胴体のオーバーラップ部において、金属箔層の端面が、容器に収容された内容物と接触することがないので、腐食を抑制することができる。
【００３６】
上記６）のコップ状容器によれば、十分なバリア性と成形加工性を得ることができる。
【００３７】
上記７）のコップ状容器によれば、胴体のオーバーラップ部や胴体の下端部と底体の垂下部との接合部において十分な接着強度を得ることができる。また、同容器によれば、胴体のフランジ部上面のうちオーバーラップ部によって構成されている部分の段差を緩やかにすることができるので、蓋材で封緘した際の密封性が良好となる。
【００３８】
上記８）のコップ状容器によれば、胴体のオーバーラップ部において、シール性を確保しながら、優れたバリア性を付与することができ、内容物の長期保存性がより一層高められる。
【００３９】
上記９）のコップ状容器によれば、上記重なり幅が２ｍｍ以上となされているので、胴体のオーバーラップ部において、シール性を確保しながら、優れたバリア性を付与することができ、内容物の長期保存性がより一層高められる。また、同容器によれば、上記重なり幅が１０ｍｍ以下となされているので、必要以上にオーバーラップ部の幅が大きくなってコストアップにつながるのが抑制され、さらに、オーバーラップ部の内側部分と外側部分とにかかる応力の相違に起因してオーバーラップ部の内側部分にシワが入るなどの外観不良の発生が抑えられる。
【００４０】
上記１０）のコップ状容器によれば、胴体の下端部と底体の垂下部との接合性が高められ、両者の接合部におけるシール性およびバリア性が向上し、さらに、同容器の下端部において、胴体用ブランクおよび底体用ブランクの金属箔層の端面が下方に露出しないので、腐食を抑制することができる。
【００４１】
上記１１）のコップ状容器によれば、胴体の折り返し部と底体の垂下部との接合部において、シール性を確保しながら、優れたバリア性を付与することができ、内容物の長期保存性がより一層高められる。
【００４２】
上記１２）のコップ状容器によれば、上記１）のコップ状容器とほぼ同様の効果が奏される。
加えて、同コップ状容器によれば、胴体のバリア性が著しく向上する。
さらに、同コップ状容器によれば、胴体のオーバーラップ部において、金属箔層の端面が、容器に収容された内容物と接触することがないので、腐食を抑制することができる。
【００４３】
上記１３）のコップ状容器によれば、上記２）のコップ状容器とほぼ同様の効果が奏される。
【００４４】
上記１４）または１５）のコップ状容器によれば、上記３または４）のコップ状容器とほぼ同様の効果が奏される。
【００４５】
上記１６）のコップ状容器によれば、上記１０）のコップ状容器とほぼ同様の効果が奏される。
【００４６】
上記１７）のコップ状容器によれば、上記１）のコップ状容器とほぼ同様の効果が奏される。
加えて、同コップ状容器によれば、胴体の合掌部において、金属箔層の端面が、容器に収容された内容物と接触することがないので、腐食を抑制することができる。
【００４７】
上記１８）のコップ状容器によれば、上記２）のコップ状容器とほぼ同様の効果が奏される。
【００４８】
上記１９）のコップ状容器によれば、胴体の合掌部が一方の側に折り曲げられて胴体の外面に熱融着されているので、同部分のシール性およびバリア性が向上する。
また、同容器によれば、合掌部が外側に張り出さないので、外観が向上し、持ちやすくなる。
【００４９】
上記２０）または２１）のコップ状容器によれば、上記３）または４）のコップ状容器とほぼ同様の効果が奏される。
【００５０】
上記２２）のコップ状容器によれば、上記１０）のコップ状容器とほぼ同様の効果が奏される。
【００５１】
上記２３）のコップ状容器用積層体によれば、金属箔層およびその両面のうち少なくとも一方の面に積層された熱融着性樹脂層を有するものであるので、同積層体よりなる胴体用ブランクおよび底体用ブランクを用意して、紙を主体とするコップ状容器の製造設備を利用して安価に製造することができる。
また、上記２３）のコップ状容器用積層体によれば、金属箔層を有しているので、これを材料として製造されたコップ状容器を、内容物の長期保存性に優れたものとすることができる。
さらに、上記２３）のコップ状容器用積層体によれば、紙層を有しないものであるので、これを各ブランクの材料として製造されたコップ状容器は、レトルト殺菌を行うことができる。
【図面の簡単な説明】
【００５２】
【図１】この発明の第１の実施形態に係るコップ状容器の斜視図である。
【図２】図１のII−II線に沿う垂直断面図であって、同図中、一点鎖線Ａで囲まれた部分は一点鎖線ａで囲まれた部分を拡大して示したものであり、一点鎖線Ｂで囲まれた部分は一点鎖線ｂで囲まれた部分を拡大して示したものである。
【図３】（ａ）は胴体用ブランクの材料とされる積層体の層構造を示す拡大断面図であり、（ｂ）は底体用ブランクの材料とされる積層体の層構造を示す拡大断面図である。
【図４】上記コップ状容器における胴体のオーバーラップ部を拡大して示す水平断面図である。
【図５】（ａ）は胴体用ブランクの平面図であり、（ｂ）は胴体用ブランクから成形された胴体の斜視図である。
【図６】（ａ）は底体用ブランクの平面図であり、（ｂ）は底体用ブランクから成形された底体の斜視図である。
【図７】上記コップ状容器の製造工程の１つを示す垂直断面図である。
【図８】上記コップ状容器における胴体のフランジ部の変形例を示す部分拡大垂直断面図である。
【図９】上記コップ状容器における胴体と底体との連結構造の変形例を示す部分拡大垂直断面図である。
【図１０】上記コップ状容器における胴体のオーバーラップ部のもう１つの態様を示す部分拡大垂直断面図である。
【図１１】上記態様のオーバーラップ部の製造工程を示す水平断面図である。
【図１２】この発明の第２の実施形態に係るコップ状容器の水平断面図であって、同図中、一点鎖線Ｃで囲まれた部分は一点鎖線ｃで囲まれた部分を拡大して示したものである。
【図１３】上記コップ状容器の胴体の製造工程の一部を示す斜視図である。
【図１４】この発明の第３の実施形態に係るコップ状容器の水平断面図であって、同図中、一点鎖線Ｄで囲まれた部分は一点鎖線ｄで囲まれた部分を拡大して示したものである。
【図１５】上記コップ状容器の胴体の製造工程の一部を示す水平断面図である。
【発明を実施するための形態】
【００５３】
以下、この発明の実施形態を、図１〜図１５を参照して説明する。
【００５４】
［第１の実施形態］
図１および図２は、この発明による第１の実施形態のコップ状容器(1)の全体構成を示すものであって、同容器(1)は、胴体用ブランク(20A)から成形された胴体(2)と、底体用ブランク(30A)から成形された底体(3)とを接合一体化してなる。
胴体(2)は、テーパ筒状のものであって、図５に示すように、扇形をした胴体用ブランク(20A)の両端縁部どうしをオーバーラップさせて接合することにより成形されている。したがって、胴部(2)には、その高さ方向に沿ってのびるオーバーラップ部(21)が存在する。
胴体(2)の下端開口縁部には、内方に折り返された折り返し部(22)が形成されている。
また、胴体(2)の上端開口縁部には、外方に折り曲げられたフランジ部(23)が設けられている。フランジ部(23)は、下方に折り返されてほぼ水平な偏平状に成形されている。図８に変形例として示したように、フランジ部(23X)は、下方にカールさせられて横断面略円弧状に成形されていてもよい。
底体(3)は、円形をした水平な底部(31)と、底部(31)の外周縁から下方にのびた垂下部(32)とを有する断面略逆Ｕ形のものであって、図６に示すように、円形の底体用ブランク(30A)をその外周部に垂下部(32)が形成されるように絞り成形してなる。
そして、底体(3)の垂下部(32)の外面が胴体(2)の下端部(2a)の内面に接合されるとともに、胴体(2)の折り返し部(22)が垂下部(32)の内面に接合されることにより、胴体(2)および底体(3)が一体化されている（図２および図７参照）。
なお、図９に変形例として示すように、胴体(2)の下端開口縁部に折り返し部(22)を形成せず、胴体(2)の下端部(2a)の内面に底体(3)の垂下部(32)の外面が接合されるのみの連結構造によって、胴体(2)と底体(3)とが一体化される構成とすることもできる。この変形例の構成によれば、底体(3)の成形時に垂下部(32)に若干のシワが入っていた場合でも、空気などを混入することなく、胴体(2)の下端部(2a)と底体(3)の垂下部(32)とを確実にシールすることができる。
【００５５】
胴体用ブランク(20A)は、図３（ａ）に示すように、金属箔層(201)と、金属箔層(201)の両面に積層された熱融着性樹脂層(202)とを有するが、紙層を有しない積層体(20)からなる。
また、底体用ブランク(30A)も、図３（ｂ）に示すように、金属箔層(301)と、金属箔層(301)の両面に積層された熱融着性樹脂層(302)とを有するが、紙層を有しない積層体(30)からなる。
各積層体(20)(30)の厚さは、２５０μｍ未満とするのが好ましく、２００μｍ未満とするのがより好ましい。各積層体(20)(30)の厚さを上記範囲とすることによって、ブランクの材料として厚さ２５０〜４００μｍ程度の積層体を使用する紙コップのように、胴体(2)のフランジ部(23)のうちオーバーラップ部(21)によって構成されている部分の段差が大きくなってしまったり、胴体(2)の下端部(2a)および折り返し部(22)と底体(3)の垂下部(31)との接合が安定しない、といった問題が確実に回避される。
【００５６】
金属箔層(201)(301)は、内容物をガス、水蒸気、光等から保護するためのバリア層として機能するものである。
金属箔層(201)(301)を構成する金属箔としては、アルミニウム箔、鉄箔、ステンレス鋼箔、銅箔などを使用することができるが、好適にはアルミニウム箔が用いられる。アルミニウム箔の場合、純アルミニウム箔、アルミニウム合金箔のいずれでもよく、また、軟質、硬質のいずれでもよいが、例えば、ＪＩＳ  Ｈ４１６０で分類されるＡ８０００系（特に、Ａ８０７９ＨやＡ８０２１Ｈ）の焼鈍処理済の軟質材（Ｏ材）であれば、成形性に優れているので、好適に用いることができる。
金属箔層(201)(301)の両面には、必要に応じて、化成処理などの下地処理を行う。具体的には、例えば、脱脂処理を行った金属箔の表面に、
１）リン酸と、
クロム酸と、
フッ化物の金属塩およびフッ化物の非金属塩からなる群より選ばれる少なくとも１種の化合物と、を含む混合物の水溶液
２）リン酸と、
アクリル系樹脂、キトサン誘導体樹脂およびフェノール系樹脂からなる群より選ばれる少なくとも１種の樹脂と、
クロム酸およびクロム（III）塩からなる群より選ばれる少なくとも１種の化合物と、を含む混合物の水溶液
３）リン酸と、
アクリル系樹脂、キトサン誘導体樹脂およびフェノール系樹脂からなる群より選ばれる少なくとも１種の樹脂と、
クロム酸およびクロム（III）塩からなる群より選ばれる少なくとも１種の化合物と、
フッ化物の金属塩およびフッ化物の非金属塩からなる群より選ばれる少なくとも１種の化合物と、を含む混合物の水溶液
上記１）〜３）のうちのいずれかの水溶液を塗工した後、乾燥することにより、化成処理を施して、皮膜を形成する。
上記化成処理により金属箔層(201)(301)表面に形成される皮膜は、クロム付着量（片面当たり）を０．１ｍｇ／ｍ２〜５０ｍｇ／ｍ２とするのが好ましく、特に、２ｍｇ／ｍ２〜２０ｍｇ／ｍ２とするのが好ましい。
金属箔層(201)(301)の厚さは、４０〜２００μｍとするのが好ましく、８０〜１６０μｍとするのがより好ましい。金属箔層(201)(301)の厚さを上記範囲とすることによって、充分なバリア性と成形加工性を得ることができる。
【００５７】
熱融着性樹脂層(202)(302)は、容器(1)の内外面を構成するものであって、金属箔層(201)(202)を保護するとともに、積層体(20)(30)に深絞り成形性を付与する役割を担うものであり、また、胴体用ブランク(20A)の両端縁部どうしの接合や、胴体(2)の下端部(2a)および折り返し部(22)と底体(3)の垂下部(32)との接合の際に熱融着層として機能するものである。
熱融着性樹脂層(202)(302)は、例えば、熱融着性を有するポリプロピレン樹脂（ＰＰ）フィルムやポリエチレン樹脂（ＰＥ）フィルム等の汎用性フィルム、または、これらを貼り合わせた複合フィルムによって構成されるが、とりわけ、耐熱性や絞り成形性に優れている無延伸ポリプロピレン樹脂フィルム（ＣＰＰ）が好適である。なお、熱融着性樹脂層(202)(302)は、上記フィルムに代えて、マレイン酸変性ポリエチレン樹脂、マレイン酸変性ポリプロピレン樹脂、エチレン−酢酸ビニル樹脂、エポキシ樹脂やシェラック樹脂等のコート層により形成されていてもよい。
熱融着性樹脂層(202)(302)の厚さは、５〜８０μｍとするのが好ましく、１０〜６０μｍがより好ましい。熱融着性樹脂層(202)(302)の厚さを上記範囲とすることによって、胴体用ブランク(20A)の両端縁部どうしの接合部や、胴体(2)の下端部(2a)および折り返し部(22)と底体(3)の垂下部(32)との接合部において十分な接着強度を得ることができると共に、胴体(2)のフランジ部(23)上面のうちオーバーラップ部(21)によって構成されている部分の段差を緩やかにすることができて、蓋材で封緘した際の密封性が良好となる。
【００５８】
金属箔層(201)(301)を構成する金属箔と、熱融着性樹脂層(202)(302)を構成するフィルムとの積層は、例えば、接着剤層（図示略）を介してドライラミネート法により行われる。接着剤層には、例えば、二液硬化型のポリエステル−ポリウレタン樹脂系接着剤やポリエーテル−ポリウレタン樹脂系接着剤が用いられる。
【００５９】
なお、胴体用ブランク(20A)を構成する積層体(20)と、底体用ブランク(30A)を構成する積層体(30)とは、通常、同一のものが用いられるが、材質および／または厚さの異なるものとしてもよい。
【００６０】
次に、上記積層体(20)(30)を使用して、コップ状容器(1)を形成する方法の一例を説明する。
まず、積層体(20)を所定サイズの扇形に打ち抜いて、胴体用ブランク(20A)を形成する（図５（ａ）参照）。
また、積層体(30)を所定サイズの円形に打ち抜いて、底体用ブランク(30A)を形成し（図６（ａ）参照）、このブランク(30A)を、金型（図示略）を用いて深絞り成形加工することにより、底部(31)および垂下部(32)よりなる横断面略逆Ｕ形の底体(3)を成形する（図６（ｂ）参照）。得られた底体(3)には、シワが生じていない。また、底体(3)の外表面における底部(31)と垂下部(32)との間のコーナー部分は、角が出ている。
そして、略円錐台形の金型（図示略）の頂面に、底体(3)をその底部上面が重なるようにセットしておいてから、上記金型の外周面に胴体用ブランク(20A)を巻き付けて、その両端縁部どうしをオーバーラップさせた後、オーバーラップ部(21)の互いに重なり合う熱融着性樹脂層(202)(202)どうしを熱融着させることにより、テーパ筒状の胴体(2)を成形する。オーバーラップ部(21)の熱融着の手段は、熱板を用いたヒートシールの他、高周波シールや超音波シール等であってもよい。
次に、胴体(2)の下端開口縁部を内側に折り返して、その折り返し部(22)を円盤状の回転金型（図示略）によって底体(3)の垂下部(32)に押し付けた後、胴体(2)の下端部(2a)および折り返し部(22)と底体(3)の垂下部(32)との互いに重なり合う熱融着性樹脂層(202)(302)どうしを熱融着させることにより、胴体(2)と底体(3)とを接合一体化させる。
最後に、胴体(2)の上端開口縁部を、所定のカール成形金型（図示略）を用いて外方にカールさせるとともに上下方向に加圧して偏平状に成形することにより、フランジ部(23)を形成する。
こうして、図１および図２に示すコップ状容器(1)が得られる。
【００６１】
コップ状容器(1)の胴体(2)のオーバーラップ部(21)において、胴体用ブランク(20A)の両端縁部の互いに熱融着された熱融着性樹脂層(202)(202)の合計厚さ(T1)が８〜１５０μｍであるのが好ましく、より好ましくは１６〜８０μｍとなされる（図４参照）。上記合計厚さ(T1)が８μｍ未満であると、オーバーラップ部(21)のシール性が不十分となるおそれがある。一方、上記合計厚さ(T1)が１５０μｍを超えると、オーバーラップ部(21)のバリア性が損なわれるおそれがある。
また、胴体(2)のオーバーラップ部(21)において、胴体用ブランク(20A)の両端縁部の金属箔層(201)(201)どうしの厚さ方向から見た重なり幅(W1)が２〜１０ｍｍであるのが好ましく、より好ましくは４〜８ｍｍとなされる。上記重なり幅(W1)が２ｍｍ未満であると、オーバーラップ部(21)のバリア性が損なわれるおそれがあり、また、シール幅が小さくなりすぎてシール性が不十分となるおそれがある。一方、上記重なり幅(W1)が１０ｍｍを超えると、必要以上にオーバーラップ部(21)の幅が大きくなってコストアップにつながり、さらに、オーバーラップ部(21)の内側部分（胴体用ブランク(20A)の一方の端縁部）と外側部分（胴体用ブランク(20A)の他方の端縁部）とにかかる応力の相違に起因して、オーバーラップ部(21)の内側部分にシワが入るなどの外観不良が発生するおそれがある。
【００６２】
この実施形態のコップ状容器(1)によれば、以下のような効果が奏される。
ａ）胴体用ブランク(20A)および底体用ブランク(30A)のそれぞれが、金属箔層(201)(301)およびその両面に積層された熱融着性樹脂層(202)(302)を有する積層体(20)(30)よりなるので、紙を主体とするコップ状容器の製造設備を利用して安価に製造することができる。
ｂ）各ブランク(20A)(30A)の材料とされる積層体(20)(30)が金属箔層(201)(301)を有しているので、内容物の長期保存性に優れている。
ｃ）胴体用ブランク(20A)の厚さが小さくなるため、胴体(2)のフランジ部(23)上面のうちオーバーラップ部(21)によって構成されている部分の段差を小さくすることができ、したがって、容器(1)のフランジ部(23)上面に蓋をシールする際にシール不良を起こしにくい。また、アセプティック（無菌）充填を行う場合に、フランジ部(23)上面の上記段差に殺菌液が残りにくくなる。
ｄ）底体(3)が底体用ブランク(30A)を深絞り成形してなるので、底体(3)にシワが発生せず、したがって、従来の紙コップのように底体(3)の垂下部(32)と胴体(2)の下端部(2a)および折り返し部(22)との接合不良が生じたり、バリア性の低下を招いたりするおそれがない。
ｅ）胴体用ブランク(20A)および底体用ブランク(30A)の厚さが小さくなるため、胴体(2)の下端部(2a)および折り返し部(22)と底体(3)の垂下部(32)とを安定的に接合することができる。
ｆ）底体(3)の外表面における底部(31)と垂下部(32)との間のコーナー部分の角を出せるので、アセプティック（無菌）充填を行う場合に、コップ状容器(1)の底体(3)上面と胴体(2)内周面との境界部分に殺菌液が残りにくくなる。
ｇ）各ブランク(20A)(30A)の材料とされる積層体(20)(30)が金属箔層(201)(301)および熱融着性樹脂層(202)(302)を有するが紙層を有しないものであるので、レトルト殺菌を行うことができる。
【００６３】
図１０は、コップ状容器(1)における胴体(2)のオーバーラップ部(21)のもう１つの態様を示したものである。
同図に示すコップ状容器(1)では、胴体用ブランク(20A)の両端縁部のうち胴体(2)の内側となる端縁部(204)が、胴体(2)の外側となる胴体用ブランク(20A)の面と重なるように折り返されて同面に熱融着されているとともに、折り返された端縁部(204)と、もう一方の端縁部(205)とがオーバーラップさせられて、これら(204)(205)の違いに重なり合う熱融着性樹脂層(202)どうしが熱融着されている(図１０，１１参照)。
折り返された端縁部(204)の折り返し幅と、両端縁部(204)(205)のオーバーラップ幅とは、図１０，１１に示すようにほぼ同一とする他、違いに異なるようにすることも可能である。
折り返された端縁部(204)の熱融着と、両端縁部(204)(205)どうしの熱融着は、１回の熱融着工程で同時に行うのが好ましく、それによって工数を減らすことができ、生産性が向上する。
上記態様によれば、胴体(2)のオーバーラップ部(21)において、金属箔層(201)の端面が容器(1)に収容された内容物と接触することがないので、腐食が抑制される。
【００６４】
［第２の実施形態］
図１２および図１３は、この発明による第２の実施形態のコップ状容器(1X)を示すものである。同容器(1X)は、以下の点を除いて、図１〜図９に示す第１の実施形態のコップ状容器(1)と実質的に同じである。
すなわち、この実施形態のコップ状容器(1X)の場合、胴体用ブランク(20B)が、金属箔層(201)と金属箔層(201)の両面に積層された熱融着性樹脂層(202)とを有するが紙層を有しない積層体(20)を所定長さの２倍の長さを有する寸法にカットするとともに長さ中央で半分に折って重ね合わせ、重ね合わせられた面を構成している熱融着性樹脂層(202)どうしを熱融着してなるものである（図１３参照）。
そして、胴体用ブランク(20B)の両端縁部(204B)(205B)が、折り返し側の端縁部(204B)が胴体(2X)の内側となるようにオーバーラップさせられて、これら(204B)(205B)の互いに重なり合う面を構成している熱融着性樹脂層(202)どうしを熱融着することにより接合され、熱融着された熱融着性樹脂層(202)を介して両端縁部(204B)(205B)の金属箔層(201)が積層されている（図１２参照）。
上記のコップ状容器(1X)によれば、胴体(2X)のオーバーラップ部(21)以外の部分において２層の金属箔層(201)が積層され、オーバーラップ部(21)においては計４層の金属箔層(201)が積層されているので、胴体(2X)のバリア性が大幅に向上し、内容物の長期保存性がより一層高められる。
また、上記のコップ状容器(1X)によれば、胴体(2X)のオーバーラップ部(21)において、金属箔層(201)の端面が容器(1X)に収容された内容物と接触することがないので、腐食を抑制することができる。
【００６５】
［第３の実施形態］
図１４および図１５は、この発明による第３の実施形態のコップ状容器(1Y)を示すものである。同容器(1Y)は、以下の点を除いて、図１〜図９に示す第１の実施形態のコップ状容器(1)と実質的に同じである。
すなわち、この実施形態のコップ状容器(1Y)では、胴体(2)が、胴体用ブランク(20A)の両端縁部どうしを合掌状に重ねて接合することにより筒状に成形されている（図１５（ａ）参照）。より詳細には、胴体用ブランク(20A)の合掌状に重ねられた両端縁部がこれらの熱融着性樹脂層(202)どうしを熱融着することにより接合され、熱融着された熱融着性樹脂層(202)を介して両端縁部の金属箔層(201)が積層されている。
胴体(2)の合掌部(21Y)は、胴体(2)の外面と重なるように一方の側に折り曲げられて同外面に熱融着されている（図１５（ｂ）参照）。
上記のコップ状容器(1Y)によれば、胴体(2)の合掌部(21Y)において、金属箔層(201)の端面が、容器(1Y)に収容された内容物と接触することがないので、腐食を抑制することができる。
また、上記のコップ状容器(1Y)によれば、胴体(2)の合掌部(21Y)が一方の側に折り曲げられて胴体(2)の外面に熱融着されているので、同部分のシール性およびバリア性が向上する。しかも、同コップ状容器(1Y)によれば、合掌部(21Y)が外側に張り出さないので、外観が向上し、持ちやすくなる。
【実施例】
【００６６】
次に、この発明の具体的実施例について説明するが、この発明は、これらの実施例に限定されるものではない。
【００６７】
＜実施例１＞
厚さ１００μｍのアルミニウム箔（Ａ８０２１Ｈ−Ｏ）の化成処理が施された両面に、それぞれ２液硬化型ウレタン系接着剤を約３ｇ/ｍ２塗布して、厚さ３０μｍの無延伸ポリプロピレン樹脂フィルム（ＣＰＰ）をドライラミネートした。そして、接着剤を硬化させるために所定のエージング処理を行うことにより、積層体を得た。
次に、得られた積層体を所定形状に打ち抜いて、胴体用ブランクおよび底体用ブランクを成形した（図５および図６参照）。
そして、胴体用ブランクおよび底体用ブランクを用いて、前述した第１の実施形態と同一の工程により、図１および図２に示すコップ状容器を作製し、これを実施例１とした。得られたコップ状容器は、厚さ１００μｍのアルミニウム箔を使用しているので、酸素や水蒸気の透過がほとんど無い、バリア性の良好な容器である。
尚、コップ状容器の寸法は下記の通りとした。
（コップ状容器の寸法）
・コップ状容器上部の開口部の内径：６５ｍｍ
・コップ状容器下部の内径：５０ｍｍ
・フランジ部の幅：４ｍｍ
・コップ状容器の高さ：９５ｍｍ
・コップ状容器の脚部（折り返し部（22））の高さ：６ｍｍ
【００６８】
＜実施例２＞
厚さ１００μｍのアルミニウム箔（Ａ８０２１Ｈ−Ｏ）の化成処理が施された両面に、それぞれ２液硬化型ウレタン系接着剤を約３ｇ/ｍ２塗布して、厚さ３０μｍの直鎖状低密度ポリエチレン樹脂フィルム（ＬＬＤＰＥ）をドライラミネートした。そして、接着剤を硬化させるために所定のエージング処理を行うことにより、積層体を得た。
そして、上記以外は実施例１と同じ要領でコップ状容器を作製し、これを実施例２とした。
【００６９】
＜実施例３＞
両面に化成処理が施された厚さ１００μｍのアルミニウム箔（Ａ８０２１Ｈ−Ｏ）の一方の面に、２液硬化型ウレタン系接着剤を約３ｇ/ｍ２塗布して、厚さ３０μｍの無延伸ポリプロピレン樹脂フィルム（ＣＰＰ）をドライラミネートするとともに、同他方の面に、２液硬化型ウレタン系接着剤を約３ｇ/ｍ２塗布して、厚さ５０μｍの無延伸ポリプロピレン樹脂フィルム（ＣＰＰ）をドライラミネートした。そして、接着剤を硬化させるために所定のエージング処理を行うことにより、積層体を得た。
次に、得られた積層体を所定形状に打ち抜いて、胴体用ブランクおよび底体用ブランクを成形した（図５および図６参照）。
次に、胴体用ブランクの一方の端縁部を厚さ３０μｍのＣＰＰフィルム側に５ｍｍ幅で折り返して型付けしておいてから、他方の端縁部を、折り返した一方の端縁部の外側にオーバーラップさせて超音波シールを行うことにより、外面が厚さ３０μｍのＣＰＰフィルムよりなり、内面が厚さ５０μｍのＣＰＰフィルムよりなる筒状の胴体を形成した（図１０および図１１参照）。
そして、上記以外は実施例１と同じ要領でコップ状容器を作製し、これを実施例３とした。
【００７０】
＜比較例１＞
両面に化成処理が施された厚さ１００μｍのアルミニウム箔（Ａ８０２１Ｈ−Ｏ）に代えて、厚さ２１０μｍの板紙を使用し、同板紙の両面にコロナ処理を施したのち、厚さ２０μｍの直鎖状低密度ポリエチレン樹脂フィルム（ＬＬＤＰＥ）を押出ラミネート法によってラミネートした以外は、実施例１と同様に積層体を得た。
そして、上記以外は実施例１と同じ要領でコップ状容器を作製し、これを比較例１とした。
【００７１】
（レトルト殺菌試験）
実施例１，３のコップ状容器に、内容物として水をフランジ部の下３ｍｍ程度まで充填した。
また、蓋材として、外側から２軸延伸ポリエチレンテレフタレートフィルム（厚さ１２μｍ）、アルミニウム箔（厚さ２０μｍ）、ヒートシール層を構成する無延伸ポリプロピレン樹脂フィルム（ＣＰＰ、厚さ３０μｍ）を、それぞれ２液硬化型ウレタン系接着剤を用いてドライラミネート法で貼り合わせた積層体を所定形状に打ち抜いてなるものを用意した。
そして、蓋材を各コップ状容器のフランジ部にリングシーラーで熱封緘することにより、充填包装容器を得た。
実施例２、比較例１のコップ状容器については、蓋材のヒートシール層として、直鎖状低密度ポリエチレン樹脂フィルム（ＬＬＤＰＥ、厚さ３０μｍ）を使用した以外は、実施例１，３のコップ状容器と同様にして、充填包装容器を得た。
得られた各充填包装容器を、スチーム式レトルト釜を用いて、１１０℃で３０分間の条件でレトルト殺菌し、冷却後レトルト釜から取り出した。
上記の方法でレトルト殺菌処理を行った結果、実施例１〜３の充填包装容器は、シール漏れ、容器の変形、コップ状容器用積層体の層間剥離などはなく、レトルト殺菌適正を発現した。
一方、比較例１の充填包装容器は、シール漏れがあり、コップ状容器用積層体の板紙層に水分が侵入して膨れが起こり、積層体の層間剥離が生じていた。
【産業上の利用可能性】
【００７２】
この発明は、例えば流動状食品や飲料等を内容物とするコップ状容器および同容器の材料として用いられる積層体に好適に使用することができる。
【符号の説明】
【００７３】
(1)(1X)(1Y)：コップ状容器
(2)(2X)：胴体
(2a)：胴体の下端部
(21)：オーバーラップ部
(21Y)：合掌部
(22)：折り返し部
(23)(23X)：フランジ部
(20A)(20B)：胴体用ブランク
(20)：積層体
(201)：金属箔層
(202)：熱融着性樹脂層
(204)：折り返された端縁部
(205)：もう一方の端縁部
(204B)：折り返し側の端縁部
(205B)：もう一方の端縁部
(T1)：胴体用ブランクの両端縁部の互いに熱融着された熱融着性樹脂層の合計厚さ
(W1)：胴体用ブランクの両端縁部の金属箔層どうしの厚さ方向から見た重なり幅
(3)：底体
(31)：底部
(32)：垂下部
(30A)：底体用ブランク
(30)：積層体
(301)：金属箔層
(302)：熱融着性樹脂層
【図１】
2020011774.tif 000003
【図２】
2020011774.tif 000004
【図３】
2020011774.tif 000005
【図４】
2020011774.tif 000006
【図５】
2020011774.tif 000007
【図６】
2020011774.tif 000008
【図７】
2020011774.tif 000009
【図８】
2020011774.tif 000010
【図９】
2020011774.tif 000011
【図１０】
2020011774.tif 000012
【図１１】
2020011774.tif 000013
【図１２】
2020011774.tif 000014
【図１３】
2020011774.tif 000015
【図１４】
2020011774.tif 000016
【図１５】
2020011774.tif 000017